【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
当り遊技を付与する当りに当選しているか否かの抽選結果を導出する第１図柄変動ゲームの始動条件を付与する第１始動口と、前記第１図柄変動ゲームよりも優先的に実行され、当り遊技を付与する当りに当選しているか否かの抽選結果を導出する第２図柄変動ゲームの始動条件を付与するとともに、入球口を遊技球が入球し難い閉鎖状態において開放条件が成立することで、当該閉鎖状態から入球口を遊技球が入球し易い開放状態に可変される一方で、閉鎖条件の成立により当該開放状態から前記閉鎖状態に可変される開閉部材を有する第２始動口と、前記開放条件を成立させるか否かの開放抽選の抽選結果を導出する第３図柄変動ゲームの始動条件を付与する第３始動口と、各始動口へ入球した遊技球を始動保留球として各別に記憶する記憶手段と、を備えた遊技機において、
前記第１始動口への入球時に、当該入球に基づく第１図柄変動ゲームの演出内容を判定する事前判定手段と、
前記事前判定手段の判定結果に基づいて判定対象とした第１図柄変動ゲームが特定の演出内容である可能性を、当該判定対象とした第１図柄変動ゲームの実行に先立って事前に示唆する事前演出を実行させる事前演出実行手段と、を備え、
前記事前演出実行手段は、前記事前演出を実行させるに際し、判定対象とした第１図柄変動ゲームに基づく事前演出を実行させることが可能な実行可能期間内に、前記第２図柄変動ゲームの始動条件が付与される可能性がなければ当該判定対象とした第１図柄変動ゲームに先立って実行される第１図柄変動ゲームから当該判定対象とした第１図柄変動ゲームに亘って前記事前演出を実行させ得る一方、前記第２図柄変動ゲームの始動条件が付与される可能性があれば前記事前演出を実行させないように構成され、
前記事前演出を実行させるか否かは、前記判定対象である第１図柄変動ゲームの始動条件を付与する入球時点において実行予定とする前記第３図柄変動ゲームの変動時間の総時間を算出し、その算出値に基づく変動期間を前記実行可能期間と比較することによって決定することを特徴とする遊技機。
【請求項２】
前記第３始動口への入球時に、当該入球に基づく第３図柄変動ゲームが前記開放条件を成立させることに当選する内容となるか否かを当該第３図柄変動ゲームの実行に先立って判定する開放事前判定手段を備え、
前記開放事前判定手段は、判定結果を判定対象とした前記第３始動口への入球に基づく始動保留球に対応付けて記憶し、
前記事前判定手段は、判定結果を判定対象とした前記第１始動口への入球に基づく始動保留球に対応付けて記憶し、
前記事前演出実行手段は、前記事前演出を実行させるに際し、判定対象とした第１図柄変動ゲームよりも先に記憶されている前記事前判定手段の判定結果、及び当該事前判定時に前記第１図柄変動ゲームが実行されていれば当該第１図柄変動ゲームの結果も加えて、これら結果から当該判定対象とした第１図柄変動ゲームが開始されるまでの前記実行可能期間と、その時に記憶されている前記開放事前判定手段の判定結果、及び前記事前判定時に前記第３図柄変動ゲームが実行されていれば当該第３図柄変動ゲームの結果も加えて、これら結果から前記開閉部材の前記開放状態への可変が開始されるまでの閉鎖期間と、を比較し、前記閉鎖期間が前記実行可能期間に比して長くなる場合に、前記事前演出を実行させ得る請求項１に記載の遊技機。
【手続補正２】
【補正対象書類名】明細書
【補正対象項目名】０００７
【補正方法】変更
【補正の内容】
【０００７】
上記目的を達成するために、請求項１に記載の発明は、当り遊技を付与する当りに当選しているか否かの抽選結果を導出する第１図柄変動ゲームの始動条件を付与する第１始動口と、前記第１図柄変動ゲームよりも優先的に実行され、当り遊技を付与する当りに当選しているか否かの抽選結果を導出する第２図柄変動ゲームの始動条件を付与するとともに、入球口を遊技球が入球し難い閉鎖状態において開放条件が成立することで、当該閉鎖状態から入球口を遊技球が入球し易い開放状態に可変される一方で、閉鎖条件の成立により当該開放状態から前記閉鎖状態に可変される開閉部材を有する第２始動口と、前記開放条件を成立させるか否かの開放抽選の抽選結果を導出する第３図柄変動ゲームの始動条件を付与する第３始動口と、各始動口へ入球した遊技球を始動保留球として各別に記憶する記憶手段と、を備えた遊技機において、前記第１始動口への入球時に、当該入球に基づく第１図柄変動ゲームの演出内容を判定する事前判定手段と、前記事前判定手段の判定結果に基づいて判定対象とした第１図柄変動ゲームが特定の演出内容である可能性を、当該判定対象とした第１図柄変動ゲームの実行に先立って事前に示唆する事前演出を実行させる事前演出実行手段と、を備え、前記事前演出実行手段は、前記事前演出を実行させるに際し、判定対象とした第１図柄変動ゲームに基づく事前演出を実行させることが可能な実行可能期間内に、前記第２図柄変動ゲームの始動条件が付与される可能性がなければ当該判定対象とした第１図柄変動ゲームに先立って実行される第１図柄変動ゲームから当該判定対象とした第１図柄変動ゲームに亘って前記事前演出を実行させ得る一方、前記第２図柄変動ゲームの始動条件が付与される可能性があれば前記事前演出を実行させないように構成され、前記事前演出を実行させるか否かは、前記判定対象である第１図柄変動ゲームの始動条件を付与する入球時点において実行予定とする前記第３図柄変動ゲームの変動時間の総時間を算出し、その算出値に基づく変動期間を前記実行可能期間と比較することによって決定することを要旨とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項２に記載の発明は、請求項１に記載の遊技機において、前記第３始動口への入球時に、当該入球に基づく第３図柄変動ゲームが前記開放条件を成立させることに当選する内容となるか否かを当該第３図柄変動ゲームの実行に先立って判定する開放事前判定手段を備え、前記開放事前判定手段は、判定結果を判定対象とした前記第３始動口への入球に基づく始動保留球に対応付けて記憶し、前記事前判定手段は、判定結果を判定対象とした前記第１始動口への入球に基づく始動保留球に対応付けて記憶し、前記事前演出実行手段は、前記事前演出を実行させるに際し、判定対象とした第１図柄変動ゲームよりも先に記憶されている前記事前判定手段の判定結果、及び当該事前判定時に前記第１図柄変動ゲームが実行されていれば当該第１図柄変動ゲームの結果も加えて、これら結果から当該判定対象とした第１図柄変動ゲームが開始されるまでの前記実行可能期間と、その時に記憶されている前記開放事前判定手段の判定結果、及び前記事前判定時に前記第３図柄変動ゲームが実行されていれば当該第３図柄変動ゲームの結果も加えて、これら結果から前記開閉部材の前記開放状態への可変が開始されるまでの閉鎖期間と、を比較し、前記閉鎖期間が前記実行可能期間に比して長くなる場合に、前記事前演出を実行させ得ることを要旨とする。
【手続補正６】
【補正対象書類名】明細書
【補正対象項目名】００１１
【補正方法】削除
【補正の内容】